(57)【特許請求の範囲】
【請求項１】
輸送中の貨物へのアクセスを防止するシステムであって、
ａ）前記貨物を覆うようになっているセキュリティネットであって、前記ネットは周縁部を有するパネルを含み、前記パネルが、前記パネルを引き裂くことなく物体を容易に挿入することを防止するに十分小さい孔を有するネットから構成されており、前記周縁部が複数の開口部を有する、セキュリティネットと、
ｂ）前記貨物下のパレットにロックされ且つ前記複数の開口部の一つに連結されることにより前記セキュリティネットと前記パレットとの間の隙間から物体が挿入されることを防止するようになっている複数のセキュリティロックであって、各々は、前記複数のセキュリティロックが、識別部に合致する所定のセットに属しているか否かを識別するための第１の識別子を有する、複数のセキュリティロックと、
を含むシステム。
【請求項２】
各々が前記複数のセキュリティロックの一つを前記開口部の一つに連結する、複数の連結部材であって、各々が、前記複数の連結部材が前記所定のセットに属しているか否かを識別するための第２の識別子を有する、複数の連結部材をさらに含む、請求項１に記載のシステム。
【請求項３】
前記連結部材は、使用前は開位置にあり、閉じて不可逆な閉位置を呈することにより、許可なく開けられることを確実に検出するようになっている、請求項２に記載のシステム。
【請求項４】
前記複数のセキュリティロックに共通のシーリング装置であって、前記シーリング装置が前記所定のセットに属しているか否かを識別するための第３の識別子を有するシーリング装置をさらに含む、請求項１に記載のシステム。
【請求項５】
前記複数のセキュリティロックがプラスチック材料から構成されている、請求項１に記載のシステム。
【請求項６】
前記セキュリティネットの前記開口部が、前記セキュリティネットの前記周縁部に沿って均一に分布している、請求項１に記載のシステム。
【請求項７】
前記セキュリティネットが、前記パネル上の複数の弾性バンドをさらに含み、前記周縁部に沿った複数の弾性バンクを含む、請求項１に記載のシステム。
【請求項８】
前記セキュリティネットが、各前記開口部のエッジに沿って設けられた金属枠と、前記金属枠を取り囲むプラスチック製ディスクとをさらに含む、請求項１に記載のシステム。
【請求項９】
各々が前記複数のセキュリティロックの一つを前記開口部の一つに連結する、複数の連結部材であって、各々が、前記複数の連結部材が前記所定のセットに属しているか否かを識別するための第２の識別子を有する、複数の連結部材をさらに含み、
前記複数のセキュリティロックに共通のシーリング装置であって、前記シーリング装置が前記所定のセットに属しているか否かを識別するための第３の識別子を有するシーリング装置をさらに含み、
前記第１の識別子と前記第２の識別子と前記第３の識別子とがシリアルナンバーである、請求項１に記載のシステム。
【請求項１０】
前記複数の連結部材、前記複数のセキュリティロックおよび前記シーリング装置の前記シリアルナンバーが同一であるとき、前記複数の連結部材と前記複数のセキュリティロックと前記シーリング装置とが前記所定のセットに属している、請求項９に記載のシステム。
【請求項１１】
輸送中の貨物へのアクセスを防止する方法であって、
ａ）支持パレットに前記貨物を載置する工程と、
ｂ）前記貨物をセキュリティネットで覆う工程であって、前記ネットが周縁部を有するパネルを含み、前記パネルが、前記パネルを引き裂くことなく物体を容易に挿入することを防止するに十分小さい孔を有するネットから構成されている、工程と、
ｃ）識別部を有するロックシステムを用いて前記セキュリティネットの前記周縁部を前記パレットに連結することにより、前記セキュリティネットと前記パレットとの間の隙間から物体が容易に挿入されることを防止する工程であって、不正が行われたときに前記ロックが破壊されるようになっている、工程と、
ｄ）前記ロックと前記セキュリティネットとが一体化されていることをチェックし、前記ネットを前記貨物から取り外す前に前記識別部を確かめる工程と、
を含む方法。
【請求項１２】
前記ロックシステムは、前記パレットにロックされるようになっている複数のセキュリティロックを含み、前記複数のセキュリティロックは、所定のセットで設けられ、前記所定のセットの各前記セキュリティロックは合致する前記識別部を有する、請求項１１に記載の方法。
【請求項１３】
前記ロックシステムは、前記セキュリティロックを前記セキュリティネットに連結する複数の連結部材を含み、前記連結部材の各々には前記識別部が付与されている、請求項１２に記載の方法。
【請求項１４】
前記識別部は、シリアルナンバーである、請求項１１に記載の方法。
【発明の詳細な説明】
【技術分野】
【０００１】
本発明は、貨物を保持（secure）する方法およびシステムに関し、特に輸送中の貨物にアクセスすることを防止する方法およびシステムに関する。
【背景技術】
【０００２】
貨物運送用の貨物を保持する従来の方法およびシステムは、典型的にはパレットに貨物を保持するためにネット状のバンドを用いている。これでは輸送中の安全性に問題が起こり得る。
【発明の概要】
【発明が解決しようとする課題】
【０００３】
本発明は、上記の技術的背景を鑑みて、貨物輸送の安全性を確保する別のシステムを提供することを目的とする。
【課題を解決するための手段】
【０００４】
したがって本発明は一局面において、貨物を覆うようになっているセキュリティネットを含むシステムであり、ネットは、周縁部を有するパネルを含む。パネルは、パネルを引き裂くことなく物体を容易に挿入することを防止するに十分小さい孔を有するネットから構成されている。周縁部は複数の開口部を有する。システムはさらに、貨物下のパレットにロックされ且つ複数の開口部の一つに連結されるようになっている複数のセキュリティロックを含む。各セキュリティロックは、複数のセキュリティロックが所定のセットに属しているか否かを識別するための第１の識別子を有する。
【０００５】
本発明の実施形態の一例において、システムは、複数の連結部材をさらに含む。各連結部材は、複数のセキュリティロックの一つを複数の開口部の一つに連結する。各連結部材は、複数の連結部材が所定のセットに属しているか否かを識別するための第２の識別子を有する。
【０００６】
さらなる実施形態において、連結部材は、使用前は開位置にあり、閉じて不可逆な閉位置を呈することにより、許可なく開けられることを確実に検出するようになっている。
【０００７】
本発明の別の局面によると、輸送中の貨物へのアクセスを防止する方法が開示される。方法は、支持パレットに貨物を載置（setting）する工程と、貨物をセキュリティネットで覆う工程とを含む。ネットは周縁部を有するパネルを含み、パネルは、パネルを引き裂くことなく物体を容易に挿入することを防止するに十分小さい孔を有するネットから構成されている。セキュリティネットの周縁部はその後、独自の識別部を有するロックシステムを用いてパレットに連結される。ロックは、不正が行われたときに破壊されるようになっている。輸送後、ユーザはロックとセキュリティネットとが一体化されていることをチェックし、ネットを貨物から取り外す前に識別部を確かめる。
【発明の効果】
【０００８】
本発明の利点は数多くある。一つの利点は、セキュリティネットの小さい孔がセキュリティロックと組み合わされて、輸送中の貨物に、ネットまたは、セキュリティネットとパレットとの間の隙間のいずれかを介して異物が挿入されることを防止することである。セキュリティロックおよび／または連結部材内で識別部が用いられることにより、例えば貨物の一部としてネット内部に爆弾が仕掛けられた後、いずれかのロック／パーツが元々は用いられていなかった別のロック／パーツに置換されている最中に、ユーザがセキュリティ違反を識別することが容易になる。
【０００９】
本発明の別の利点は、セキュリティロックと連結部材とがプラスチック材料から構成されており、そのために貨物をパレットに保持する目的で用いられる金属部材と容易に区別できることである。さらに容易に識別できないようにプラスチック製パーツを破壊して開けることは困難である。プラスチックはリサイクル可能でもある。
【図面の簡単な説明】
【００１０】
【図１】本発明の一実施形態によるセキュリティネットシステムの前面図である。
【００１１】
【図２】本発明の一実施形態によるセキュリティネットの斜視図である。
【００１２】
【図３ａ】本発明の一実施形態によるセキュリティロックの分解図である。
【００１３】
【図３ｂ】解放可能位置におけるセキュリティロックとパレットの軌道部とを示す図である。
【００１４】
【図３ｃ】ロック位置におけるセキュリティロックとパレットの軌道部とを示す図である。
【００１５】
【図４】本発明の一実施形態によるシーリング装置の図である。
【００１６】
【図５】本発明の一実施形態による連結装置の上面図である。
【発明を実施するための形態】
【００１７】
図１を参照すると、本発明の第１の実施形態は、セキュリティネット２２と複数のセキュリティロック２４とを含むセキュリティネットシステム２０である。セキュリティネット２２は、周縁部を有するパネル２８を含む。パネル２８は十分小さいサイズの孔を有するネットにより構成されており、パネルを引き裂くことなしに異物を挿入することが容易にできないようになっている。一実施形態では、パネル２８はポリエステルから構成されており、孔のサイズは約１ｃｍ×１ｃｍである。セキュリティネット２２の周縁部には、複数の開口部３２が構成されている。各セキュリティロック２４は、開口部３２の一つに連結されるようになっており、さらにセキュリティネット２２下のパレット２５にロックされるようになっている。セキュリティロック２４は所定のセットで設けられている。各セキュリティロック２４は第１の識別子を有しており、ユーザまたは機械が、セキュリティロック２４が所定のセットに属しているか否かを識別できるようになっている。第１の識別子は以下により詳細に述べる。
【００１８】
貨物輸送中、貨物はパレット２５上に載置され、セキュリティネット２２および貨物ネットの両方に覆われている。貨物ネットは、貨物を適所に保つ（hold）するために用いられる、織物のバンドをネット状にした従来のものであってもよく、大きな開口領域を有してもよい。セキュリティネット２２は貨物ネットの内側にあってもよいし外側にあってもよい。セキュリティネット２２および貨物ネットはその後共にその後パレット２５にロックされる。上記のように、セキュリティネット２２のパネル２８は、セキュリティネット２２を介して異物を貨物に挿入することが容易にできないように構成されている。セキュリティネット２２を介して異物を挿入できるようにするためには、まずセキュリティネット２２を引き裂かなくてはならない。ネットの形状により、ネットで覆われた内側の貨物でもユーザは確実に見ることができる。セキュリティロック２４は、セキュリティネット２２とパレット２５との間の隙間から異物が挿入されることを防止する。セキュリティネット２２の開口部３２も、異物の挿入を防止するに十分小さい。これらにより、システム２０は全体として、貨物がある場所から別の場所へ輸送される間、貨物へのアクセスを防止する。
【００１９】
図２は、本発明の一実施形態によるセキュリティネット２２の斜視図を示している。パネル２８は、上面２９と複数の側面３０とを有する。パネル２８は一体型である。すなわち面と面の間に継ぎ目がない。上面２９と複数の側面３０は、覆うべき貨物を収容する内部空間を規定する。パネル２８上に複数の弾性バンド４０が設けられており、弾性バンド４０を伸縮することにより、セキュリティネット２２はある範囲のサイズを有する貨物を収容することができる。実施形態の一例では、弾性バンド４０は互いに隣接する側面３０間のエッジにおいて実質的に垂直に延びている。弾性バンド４０がこの方向に設けられていることにより、セキュリティネット２２はある範囲の高さを有する貨物を収容することができる。さらにセキュリティネット２２の底部の各角部において、弾性バンク４２が水平方向に延びている。弾性バンク４２は２つの隣接する側面３０間の底部エッジをまたがって延びており、これにより弾性バンク４２が縮小したときに貨物が角部で、よりきつく保持される。一実施形態では、弾性バンド４０と弾性バンク４２とを有するパネル２８は全体が黒色であり、引き裂かれたときにその箇所が容易に識別できるようになっている。
【００２０】
再び図２を参照すると、開口部３２のエッジに沿って例えば銅製の金属枠（metal rim）４４が設けられている。セキュリティネット２２の両側において、金属リング（metal ring）４４はさらにプラスチック製ディスク４６に取り囲まれている。金属リング４４およびプラスチック製ディスク４６は、開口部３２においてセキュリティネット２２を強化し、日々の作業中に開口部３２でセキュリティネット２２が簡単に裂けないことを保証する。
【００２１】
図３ａは、本発明の一実施形態によるセキュリティロック２４の分解図を示している。セキュリティロック２４は、ロック部材３４と、ロック部材３４のネック３９に取り付けられるようになっているラッチ３６とを含む。ロック部材３４は、パレット２５の軌道部にロックされる突出部３７を含む。ラッチ３６は、ロック部材３４がパレット２５に対してロック位置にあるときにのみロック部材３４に取り付け可能になっている。セキュリティロック２４とパレット２５とのロック機構は以下に述べる。
【００２２】
図３ｂおよび図３ｃはそれぞれ、解放可能位置およびロック位置におけるセキュリティロック２４およびパレット２５を示す。解放可能位置では、ロック部材３４の突出部３７の輪郭は、パレット２５の軌道部４１の輪郭（破線で示す）に沿っている。これは、突出部３７が軌道部４１に挿入可能または軌道部４１から解放可能であることを意味する。ラッチ３６は、単位距離の約半分だけ離れたロック部材の突出部３７と同じ輪郭を有する。したがってラッチ３６は、ネック部３９に取り付けたりパレット２５と係合したりすることはできない。ロック部材３４が軌道部４１に沿って単位距離の約半分だけ移動すると、ラッチ３６はネック部３９に取り付け可能となり、突出部３７は軌道部４１内にロックされる。
【００２３】
ロック部材３４およびラッチ３６の両方に締結開口部３８が設けられており、これによりシーリング装置（sealing device）がロック位置でこれらを締結（seal）する。セキュリティロック２４が締結されると、シーリング装置はラッチ３６がロック部材３４から分離したりロック部材３４に対して移動したりすることを防止し、他方ロック部材３４が貨物輸送中にロック位置から移動することを防止する。
【００２４】
貨物に起こり得る不正の一つは、セキュリティロック２４全体が破壊されて貨物領域に異物（例えば爆弾）が挿入可能になることである。その場合、破壊されたロックは新しいロックに置換されて不正の検出を妨げる。セキュリティロック２４に不正が行われていることをユーザに警告する一つの方法は、各セキュリティロック２４に第１の識別子３５を設けることである。図３ａに示す実施形態の一例では、第１の識別子３５は、セキュリティロック２４の表面に例えばレーザ印刷で印刷されたシリアルナンバーである。所定のセットに属する各セキュリティロック２４は、合致する第１の識別子３５を有している。合致する第１の識別子３５は、例えばシリアルナンバーが同一であるか、所定のパターンを有する。
【００２５】
図４は、本発明の実施形態の一例によるシーリング装置２７を示す。この実施形態では、シーリング装置２７は、締結部５２とワイヤ部５４とを有するワイヤシールである。ワイヤ部５４は、各セキュリティロック２４の締結開口部３８に挿入されて締結部５２を締結するようになっており、同時にセキュリティロック２４どうしを連結する。換言すると、ワイヤシールは複数のセキュリティロック２４に共通である。実施形態の一例では、シーリング装置２７がセキュリティロック２４と同一の所定のセットに属しているか否かを識別するための第２の識別子５０が締結部５２に設けられている。
【００２６】
実施形態の一例では、セキュリティロック２４は連結部材２６を介してセキュリティネット２２に連結されている。図５は、本発明の一実施形態による連結部材２６を示す。連結部材２６は、初期状態では開位置にある２つのハーフリング４６を有するスナップリングという形態で設けられている。開位置において、２つのハーフリング４６は回動端４７で永久的かつ回動自在（pivotally）に接続されており、他端に不可逆なスナップ部４８を有する。連結部材２６は開口部３２の一つにセキュリティロック２４のロックボルトを介して挿入され、その後スナップ部４８どうしが留められて不可逆な閉位置を呈する。２つのハーフリング４６のスナップ部４８どうしが留められると、永久的閉構造が構成される。留められた状態は不可逆であるため、連結部材２６に損傷を与えない限り、セキュリティロック２４はセキュリティネット２２から分離されない。したがって連結部材２６が許可なく開けられた場合、容易に気づく。
【００２７】
実施形態の一例では、各連結部材２６に第３の識別子５６が設けられている。実施形態の一例では、第３の識別子５６は、連結部材２６の表面に例えばレーザ印刷で印刷されたシリアルナンバーである。上記したセキュリティロック２４およびシーリング装置２７と同一の所定のセットに属する各連結部材２６は、合致する第３の識別子５６を有している。合致する第３の識別子５６は、例えばシリアルナンバーが同一であるか、所定のパターンを有する。
【００２８】
特定の実施形態では、第１の識別子３５、第２の識別子５０および第３の識別子５６は同一のシリアルナンバーである。このようなシリアルナンバーが印刷されたパーツのみが所定のセットに属していると見なされる。
【００２９】
実施形態の一例では、セキュリティネット２２が引き裂かれたとき、あるいはいずれかのセキュリティロック２４または連結部材２６が損傷を受けたり破壊されたりしたときだけでなく、パーツどうしの識別子が合致しないときも、貨物に不正が行われたと見なされる。例えば、セキュリティネット２２またはセキュリティロック２４が一体化されていない場合、またはあるセキュリティロックのシリアルナンバーが他のセキュリティロックおよびワイヤシールと異なることが判明した場合、ユーザは貨物に不正が行われたことを警告され適宜対処する。例えば、貨物を徹底的にチェックし、全く新しいセットのセキュリティロックを設置する。同一の識別子を有するパーツのセットは各々一度だけ用い、その後は廃棄する。
【００３０】
一実施形態では、セキュリティロック２４および連結部材２６はプラスチック材料から構成されている。プラスチック材料は、貨物ネットの安全を確保するために用いられる金属製のセキュリティロックと容易に区別可能であり、これにより２種類のセキュリティロックが混同されることが防止される。プラスチック材料はリサイクル可能でもある。実施形態の一例では、プラスチック材料の色は白である。
【００３１】
以上、本発明の実施形態の例を十分に記載した。上記記載は特定の実施形態に関するが、本発明を実施する場合に特定の詳細事項が改変可能であることは当業者には明らかである。したがって本発明は本明細書に記載した実施形態に限定されると解釈されるべきではない。
【００３２】
例えば、シーリング装置２７は全セキュリティロック２４に共通である必要はない。シーリング装置２７は個々のセキュリティロック２４毎に適用可能であり、これらが同様に機能することは当業者には明らかである。
【００３３】
第１の識別子３５、第２の識別子５０および第３の識別子５６は同一タイプであってもよいし、異なったタイプであってもよく、例えば、上記のシリアルナンバー、バーコード、ＲＦＩＤ、またはユーザが人間の目を用いてまたは特定の機械を介して識別することができる識別子であればよい。
【００３４】
セキュリティネット２２に追加のサインを取り付けることもできる。サインはまずプラスチック製シートに印刷され、その後従来の方法を用いてセキュリティネットに取り付けられる。
【図１】
0005883247.tif 000002
【図２】
0005883247.tif 000003
【図３ａ】
0005883247.tif 000004
【図３ｂ】
0005883247.tif 000005
【図３ｃ】
0005883247.tif 000006
【図４】
0005883247.tif 000007
【図５】
0005883247.tif 000008